(57)【要約】【課題】  ディスプレイの構成を柔軟に変化させることができるマルチテレビシステムを提供することができるようにする。【解決手段】  マルチテレビユニット２１において、ディスプレイ（テレビジョン受像機）４３aが取り付けられている上段ディスプレイ部４２aは、ディスプレイ４３aの垂直方向を回転軸として回転させることができる。ディスプレイ装着部４１aは、ディスプレイ４３ａ乃至４３ｃが取り付けられている上段ディスプレイ部４２a、中段ディスプレイ部４２ｂ、および下段ディスプレイ部４２ｃ全体を回転させることができる。本発明は、例えば、複数台のテレビジョン受像機で構成されるマルチテレビシステムに適用できる。【選択図】図２
2006311270.tif 000002
【特許請求の範囲】
【請求項１】
複数の表示装置を一列に並べて取り付けることが可能な表示装置固定機であって、
前記複数の表示装置それぞれが取り付けられる複数の筐体と、
前記表示装置の垂直方向を回転軸として前記複数の筐体それぞれを回転させる第１の回転手段と、
前記複数の筐体全体を回転させる第２の回転手段と
を備えることを特徴とする表示装置固定機。
【請求項２】
前記表示装置固定機と、隣り合う他の表示装置固定機とを固定する固定手段をさらに備える
ことを特徴とする請求項１に記載の表示装置固定機。
【請求項３】
前記複数の筐体が一列に配置され、前記複数の筐体が配置されている方向と同一の方向に前記複数の筐体に軸通され、前記複数の表示装置それぞれと接続する画像または音声の信号および前記複数の表示装置に供給する電源の配線が内側に敷設される円筒体をさらに備える
ことを特徴とする請求項１に記載の表示装置固定機。
【請求項４】
前記円筒体は、前記複数の筐体内それぞれにおいて、前記表示装置に接続する前記信号および電源の配線を取り出すための開口部を有する
ことを特徴とする請求項３に記載の表示装置固定機。
【請求項５】
前記筐体内において、前記筐体の回転軸と同軸の円筒形であって、前記円筒形の内側で前記表示装置に接続する画像または音声の信号および前記表示装置に供給する電源の配線と接し、前記円筒形の外側で前記表示装置の信号入力端子または電源の供給を受ける端子と接する導電性部材をさらに備える
ことを特徴とする請求項１に記載の表示装置固定機。
【請求項６】
他の装置から供給された画像または音声の信号および電源を、前記複数の表示装置と、前記表示装置固定機と隣り合う他の表示装置固定機とに分配する分配手段をさらに備える
ことを特徴とする請求項１に記載の表示装置固定機。
【発明の詳細な説明】
【技術分野】
【０００１】
本発明は、表示装置固定機に関し、特に、ディスプレイの構成を柔軟に変化させることができるマルチテレビシステムを提供する表示装置固定機に関する。
【背景技術】
【０００２】
例えば、異なるチャンネルを同時に視聴したり、異なる所定間隔のタイミングで撮像した画像を時系列に並べて同時に（比較して）見る場合などに用いられる、複数台のディスプレイ（テレビジョン受像機）を横または縦に配列させたマルチテレビシステムがある。
【０００３】
本出願人は、マルチテレビシステムの一つとして、横×縦のディスプレイの台数が変更可能な（スケーラブルな）スケーラブルテレビシステムを先に提案している（例えば、特許文献１参照）。
【０００４】
図１は、ディスプレイ（テレビジョン受像機）の横×縦の台数が、例えば、３×３の９台で構成されるマルチテレビシステム１を示している。
【０００５】
従来のマルチテレビシステム１は、９台のディスプレイ２a乃至２ｉが同一面を向くようにして筐体４に固定される。従って、マルチテレビシステム１を何台のディスプレイで構成するかは、マルチテレビシステム１の設計段階で任意に決定することができるが、製造した後は、その台数を変更することはできない。
【０００６】
また、マルチテレビシステム１は、９台のディスプレイ２a乃至２ｉが同一面を向いているため、例えば、図１に示すように、リビングに居るユーザ３ａがディスプレイ２a乃至２ｉを視聴できるようにマルチテレビシステム１が設置された場合、マルチテレビシステム１を挟んでリビングと対向する側のダイニングに居るユーザ３ｂは、マルチテレビシステム１のディスプレイ２a乃至２ｉを視聴することができない。
【０００７】
【特許文献１】特開２００３−１９５８４３号公報（図１）
【発明の開示】
【発明が解決しようとする課題】
【０００８】
以上のように、従来のマルチテレビシステムは、複数台のディスプレイで構成されていたとしても、一旦構成を決定した後は、その構成を変化させることができず、複数台のディスプレイを用いた視聴方法が限定され、柔軟性に欠けるものとなっていた。
【０００９】
本発明は、このような状況に鑑みてなされたものであり、ディスプレイの構成を柔軟に変化させることができるマルチテレビシステムを提供するものである。
【課題を解決するための手段】
【００１０】
本発明の表示装置固定機は、複数の表示装置それぞれが取り付けられる複数の筐体と、表示装置の垂直方向を回転軸として複数の筐体それぞれを回転させる第１の回転手段と、複数の筐体全体を回転させる第２の回転手段とを備えることを特徴とする。
【００１１】
表示装置固定機と、隣り合う他の表示装置固定機とを固定する固定手段をさらに設けることができる。
【００１２】
複数の筐体が一列に配置され、複数の筐体が配置されている方向と同一の方向に複数の筐体に軸通され、複数の表示装置それぞれと接続する画像または音声の信号および複数の表示装置に供給する電源の配線が内側に敷設される円筒体をさらに設けることができる。
【００１３】
円筒体は、複数の筐体内それぞれにおいて、表示装置に接続する信号および電源の配線を取り出すための開口部を有するようにさせることができる。
【００１４】
筐体内において、筐体の回転軸と同軸の円筒形であって、円筒形の内側で表示装置に接続する画像または音声の信号および表示装置に供給する電源の配線と接し、円筒形の外側で表示装置の信号入力端子または電源の供給を受ける端子と接する導電性部材をさらに設けることができる。
【００１５】
他の装置から供給された画像または音声の信号および電源を、複数の表示装置と、表示装置固定機と隣り合う他の表示装置固定機とに分配する分配手段をさらに設けることができる。
【００１６】
本発明においては、複数の表示装置それぞれが複数の筐体に取り付けられ、表示装置の垂直方向を回転軸として複数の筐体それぞれが回転され、複数の筐体全体が回転される。
【発明の効果】
【００１７】
本発明によれば、ディスプレイの構成を柔軟に変化させることができるマルチテレビシステムを提供することができる。
【発明を実施するための最良の形態】
【００１８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２０】
請求項１に記載の表示装置固定機は、
複数の表示装置を一列に並べて取り付けることが可能な表示装置固定機（例えば、図２のマルチテレビユニット２１）であって、
前記複数の表示装置それぞれが取り付けられる複数の筐体（例えば、図２の上段ディスプレイ部４２a，中段ディスプレイ部４２ｂ，下段ディスプレイ部４２ｃ）と、
前記表示装置の垂直方向を回転軸として前記複数の筐体それぞれを回転させる第１の回転手段（例えば、図１５のベアリング１４１など）と、
前記複数の筐体全体を回転させる第２の回転手段（例えば、図１２のベアリング１２３）と
を備えることを特徴とする。
【００２１】
請求項２に記載の表示装置固定機は、
前記表示装置固定機と、隣り合う他の表示装置固定機とを固定する固定手段（例えば、図２の金具５１ａおよび掛止爪５１ｂ、凹部５３aおよび凸部５３ｂ）をさらに備える
ことを特徴とする。
【００２２】
請求項３に記載の表示装置固定機は、
前記複数の筐体が一列に配置され、前記複数の筐体が配置されている方向と同一の方向に前記複数の筐体に軸通され、前記複数の表示装置それぞれと接続する画像または音声の信号および前記複数の表示装置に供給する電源の配線が内側に敷設される円筒体（例えば、図１２のパイプ１２）をさらに備える
ことを特徴とする。
【００２３】
請求項４に記載の表示装置固定機は、
前記円筒体は、前記複数の筐体内それぞれにおいて、前記表示装置に接続する前記信号および電源の配線を取り出すための開口部（例えば、図１５の開口部１４３）を有する
ことを特徴とする。
【００２４】
請求項５に記載の表示装置固定機は、
前記筐体内において、前記筐体の回転軸と同軸の円筒形であって、前記円筒形の内側で前記表示装置に接続する画像または音声の信号および前記表示装置に供給する電源の配線と接し、前記円筒形の外側で前記表示装置の信号入力端子または電源の供給を受ける端子と接する導電性部材（例えば、図１７の信号用リング１７１ａ）をさらに備える
ことを特徴とする。
【００２５】
請求項６に記載の表示装置固定機は、
他の装置から供給された画像または音声の信号および電源を、前記複数の表示装置と、前記表示装置固定機と隣り合う他の表示装置固定機とに分配する分配手段（例えば、図８の分配器１０２）をさらに備える
ことを特徴とする。
【００２６】
以下、図を参照して、本発明の実施の形態について説明する。
【００２７】
図２は、本発明を適用した一実施の形態であるマルチテレビユニット（表示装置固定機）２１の斜視図である。
【００２８】
図２のマルチテレビユニット２１は、そこ供給される画像信号に対応する画像を表示する３個のディスプレイ（テレビジョン受像機）４３ａ乃至４３ｃを一列に並べて取り付け可能なユニットである。
【００２９】
図２は、３個のディスプレイ４３ａ乃至４３ｃが取り付けられている状態を示しており、図２において３個のディスプレイ４３ａ乃至４３ｃが向いている面（後述するカバー５４が取り付けられている面と反対側の面）をマルチテレビユニット２１の正面（表側）とする。
【００３０】
マルチテレビユニット２１は、３個のディスプレイ４３ａ乃至４３ｃを垂直（縦）方向に一列に取り付けることが可能な、垂直方向に長い直方体のディスプレイユニット３１と、ディスプレイユニット３１を床面に安定して設置するために、床面と対向する面の面積を広く設けた板状のベースユニット３２とから構成されている。
【００３１】
垂直方向に長い直方体のディスプレイユニット３１の底面（下面）とベースユニット３２の上面とが接して固着されるとともに、板状のベースユニット３２の底面（下面）の四隅それぞれに、キャスタ３３ａ乃至３３ｄ（キャスタ３３ｄは図３に図示されている）が固着されている。
【００３２】
そして、ディスプレイユニット３１は、さらに上下に分割されており、ディスプレイ４３ａ乃至４３ｃが取り付けられている上側のディスプレイ装着部４１aと、ディスプレイ４３ａ乃至４３ｃに供給する電源や信号（画像または音声の信号）のケーブル１０１（図８）を分配する分配器１０２（図８）などを収納する下側の収納部４１ｂとから構成されている。
【００３３】
さらに、ディスプレイ装着部４１aは、その上側から、ディスプレイ４３aが取り付けられている上段ディスプレイ部４２a、ディスプレイ４３ｂが取り付けられている中段ディスプレイ部４２ｂ、ディスプレイ４３ｃが取り付けられている下段ディスプレイ部４２ｃ、およびディスプレイ装着部ベース４２ｄで構成されている。
【００３４】
ディスプレイ４３ａ乃至４３ｃは、ケーブル１０１（図８）で供給される信号に対応する画像や音声を出力する（画像を表示する）。なお、ディスプレイ４３ａ乃至４３ｃそれぞれは、上段ディスプレイ部４２a、中段ディスプレイ部４２ｂ、下段ディスプレイ部４２ｃから取り外すことが可能である。
【００３５】
垂直方向に長い直方体のディスプレイユニット３１の上面４４には、他のマルチテレビユニット２１が横方向（図面左右方向）に並んだときに、隣り合う他のマルチテレビユニット（図示せず）と固定を行うための金具と掛止爪が取り付けられている。即ち、ディスプレイユニット３１の上面４４の左側（左の辺に近い箇所）には、マルチテレビユニット２１の左側のマルチテレビユニット（図示せず）と固定を行うための金具５１ａと掛止爪５１ｂが、ディスプレイユニット３１の上面４４の右側（右の辺に近い箇所）には、マルチテレビユニット２１の右側のマルチテレビユニット（図示せず）と固定を行うための金具５２ａと掛止爪５２ｂが、それぞれ取り付けられている。
【００３６】
また、板状のベースユニット３２の左右の側面には、他のマルチテレビユニット２１が横方向（図面左右方向）に並んだときに、隣の他のマルチテレビユニット２１（図示せず）と固定を行うための凹部５３a（右側面）と凸部５３ｂ（左側面）が設けられている。
【００３７】
ディスプレイユニット３１の背面側のベースユニット３２の上面には、他の装置（隣の他のマルチテレビユニット２１も含む）と接続されているケーブル１０１（図８）を覆うためのカバー５４が取り付けられている。
【００３８】
以上のように構成されるマルチテレビユニット２１は、例えば、ベースユニット３２の底面に固定されたキャスタ３３a乃至３３ｄによって、図３に示すように、ディスプレイユニット３１を上側から見たときの中心（重心）の軸Ｐを中心にマルチテレビユニット２１自身を回転させることができる。
【００３９】
なお、図３では、図３の左側、真ん中、右側の順に、軸Pを中心としてマルチテレビユニット２１が反時計回りに回転されている場合の例を示しているが、マルチテレビユニット２１を時計回りに回転させることも勿論可能である。
【００４０】
また、マルチテレビユニット２１は、上述したように、３個のディスプレイ４３ａ乃至４３ｃが取り付けられているディスプレイ装着部４１aと収納部４１ｂとが分割されており、図４に示すように、マルチテレビユニット２１の収納部４１ｂより下側を正面に向けたまま、上側のディスプレイ装着部４１aを、軸Pを中心として反時計回りに１８０度回転させることができる。この場合、ディスプレイ４３ａ乃至４３ｃを一体となして正面（表）から背面（裏）までの所望の方向に向けさせることができる。
【００４１】
さらに、マルチテレビユニット２１は、ディスプレイ装着部４１aにおいて、ディスプレイ４３aが取り付けられている上段ディスプレイ部４２a、ディスプレイ４３ｂが取り付けられている中段ディスプレイ部４２ｂ、およびディスプレイ４３ｃが取り付けられている下段ディスプレイ部４２ｃが分割されており、図５に示すように、上段ディスプレイ部４２a、中段ディスプレイ部４２ｂ、下段ディスプレイ部４２ｃそれぞれは、正面を向いている下側のディスプレイ装着部ベース４２ｄ（や収納部４１ｂ）とは独立に、軸Pを中心として反時計回りに１８０度回転させることができる。なお、図５は、上段ディスプレイ部４２aが反時計回りに回転している例を示している。
【００４２】
また、マルチテレビユニット２１は、ベースユニット３２の左右の側面に設けられている凹部５３aおよび凸部５３ｂなどにより、任意の複数台（ｎ台とする）のマルチテレビユニット２１を横方向に並べて、３ｎ個のディスプレイが連携して画像を表示するマルチテレビシステムを容易に構築することができる。
【００４３】
例えば、図６は、３台のマルチテレビユニット２１で構成されるマルチテレビシステムの例を示している。
【００４４】
なお、以下では、ｎ台のマルチテレビユニット２１を区別するために、それらをマルチテレビユニット２１−１乃至２１−ｎと称する。また、マルチテレビユニット２１を構成する各部についても同様である。
【００４５】
図７を参照して、図６に示したように複数台のマルチテレビユニット２１を左右に並べて配置する場合の、マルチテレビユニット２１どうしの固定方法について説明する。
【００４６】
マルチテレビユニット２１−１と２１−２とは、ディスプレイユニット３１−１の上面４４−１に取り付けられている金具５２ａ−１および掛止爪５２ｂ−１と、ディスプレイユニット３１−２の上面に取り付けられている金具５１ａ−２および掛止爪５１ｂ−２とで互いに固定される。
【００４７】
即ち、マルチテレビユニット２１−１の金具５２ａ−１がマルチテレビユニット２１−２の掛止爪５１ｂ−２に掛止することにより、マルチテレビユニット２１−１とマルチテレビユニット２１−２とが固定される。また、マルチテレビユニット２１−２の金具５１ａ−２がマルチテレビユニット２１−１の掛止爪５２ｂ−１に掛止することにより、マルチテレビユニット２１−１とマルチテレビユニット２１−２とが固定される。
【００４８】
また、マルチテレビユニット２１−１と２１−２とは、マルチテレビユニット２１−１のベースユニット３２−１の右側面に設けられた凹部５３a−１がマルチテレビユニット２１−２のベースユニット３２−２の左側面に設けられた凸部５３ｂ−２と嵌合することによっても、互いに固定される。
【００４９】
このように、金具５１ａ−２および掛止爪５２ｂ−１と、金具５２a−１および掛止爪５１ｂ−２と、凹部５３aおよび凸部５３ｂとによって、マルチテレビユニット２１−１とマルチテレビユニット２１−２とを、容易に、迅速に、且つ正確に固定（位置決め）することができる。ｎ台のマルチテレビユニット２１−ｎが隣り合って接続される場合も同様である。
【００５０】
なお、マルチテレビユニット２１において、図４または図５に示したように、ディスプレイ４３ａ乃至４３ｃのいずれかまたは全てを、軸Pを中心として回転させる場合には、金具５１ａ、掛止爪５２ｂ、金具５２a、および掛止爪５１ｂは使用されず、凹部５３aと凸部５３ｂだけが使用される。
【００５１】
図８は、マルチテレビユニット２１を背面側から見た場合の斜視図である。
【００５２】
ディスプレイユニット３１の収納部４１ｂ内には、右側の（一方の）マルチテレビユニット（図示せず）からケーブル１０１を介して供給される電源や信号を、ディスプレイ４３ａ乃至４３ｃそれぞれと、ケーブル１０１が接続されている右側の（他方の）マルチテレビユニットと反対側の左側のマルチテレビユニット（図示せず）とにケーブル１０１’を介して分配する分配器１０２が収納されている。
【００５３】
ここで、ケーブル１０１は、図９に示すように、信号を伝送する信号ケーブル１１１と、電源を供給する電源ケーブル１１２とが一体となされたケーブルである。
【００５４】
また、分配器１０２は、図１０に示すように、ケーブル１０１を介して、右側のマルチテレビユニットから供給された信号および電源を、マルチテレビユニット２１に取り付けられているディスプレイ４３ａ乃至４３ｃに分配（供給）するとともに、ケーブル１０１’を介して左側の（隣り合う）マルチテレビユニットにも分配（供給）する。
【００５５】
図８に戻り、マルチテレビユニット２１の背面側では、カバー５４が、ベースユニット３２の上面と収納部４１ｂの背面とを覆うようにして、ディスプレイユニット３１またはベースユニット３２に固定されて取り付けられている。
【００５６】
このカバー５４の左右の側面（両隣のマルチテレビユニットと対向する面）それぞれには、隣のマルチテレビユニットと接続されているケーブル１０１または１０１’が通る切りかき１０３ａまたは１０３ｂが設けられている。
【００５７】
従って、図１１に示すように、ｎ台のマルチテレビユニット２１−１乃至２１−ｎが横方向に並べて配置された場合、信号および電源を供給する他の装置（図示せず）と一方が接続されているケーブル１０１−１（図８のケーブル１０１に相当）の他方が、マルチテレビユニット２１−１の切りかき１０３ａ−１を通って分配器１０２−１に接続される。
【００５８】
また、分配器１０２−１と一方が接続されているケーブル１０１−２（図８のケーブル１０１’に相当）が、切りかき１０３ｂ−１および１０３a―２を通って、マルチテレビユニット２１−２の分配器１０２−２に接続される。これにより、マルチテレビユニット２１−１は、他の装置から供給された電源および信号を享受し、さらにマルチテレビユニット２１−２にも供給することができる。
【００５９】
同様にして、ケーブル１０１−３乃至１０１−ｎによって、マルチテレビユニット２１−２乃至２１−ｎの隣り合うマルチテレビユニット２１どうしが、互いに接続され、右隣のマルチテレビユニット２１から供給された電源および信号を左隣のマルチテレビユニット２１に供給する。
【００６０】
これにより、マルチテレビユニット２１−１乃至２１−ｎへの信号および電源の供給に必要なケーブルの数が少なくて済み、接続されているマルチテレビユニット２１−１乃至２１−ｎのすべてが、信号および電源を享受することができる。
【００６１】
また、カバー５４−１乃至５４−ｎにより、ケーブル１０１−１乃至１０１−ｎが露出しないので、見た目にきれいな配線を実現することができる。
【００６２】
次に、図４および図５に示したディスプレイ４３ａ乃至４３ｃを回転させる機構について説明する。
【００６３】
図１２は、ディスプレイユニット３１を背面側から見た斜視図を示している。
【００６４】
ディスプレイユニット３１を上下に分割した上側であって、ディスプレイ４３ａ乃至４３ｃが取り付けられているディスプレイ装着部４１aの内部には、図１２に示すように、垂直方向にディスプレイ装着部４１aを軸通する円柱形（円筒体）のパイプ１２１が設けられている。
【００６５】
パイプ１２１の内側は空洞となされており、そこにディスプレイ４３ａ乃至４３ｃに信号および電源を供給する信号ケーブル１２２aおよび電源ケーブル１２２ｂが敷設されている。
【００６６】
垂直方向に長い直方体のディスプレイ装着部４１aの底面には、ベアリング１２３が設けられている。
【００６７】
ベアリング１２３は、例えば、その外輪（図示せず）がディスプレイ装着部４１a（の筐体）と固定され、内輪（図示せず）がパイプ１２１と固定されている。そして、軸Pを中心として反時計回りにディスプレイ装着部４１aを回転させる力が加えられると、ベアリング１２３内の外輪と内輪に挟まれたボール（玉）（図示せず）が転がり、図１３に示すように、ディスプレイ装着部４１aが反時計回りに回転する（ディスプレイ装着部４１aを反時計回りに回転させる）。
【００６８】
図１３は、正面を向いていたディスプレイ装着部４１aが、反時計回りに（図１２に示した状態から）９０度回転した状態を示している。
【００６９】
図１３に示す状態のディスプレイユニット３１を上方から見ると、図１４に示すようになる。
【００７０】
図１４において、ディスプレイ装着部４１aの底面上であって、矩形とされる底面の一方の短辺の中央部付近に、ストッパ（突起物）１３１が取り付けられている。
【００７１】
また、収納部４１ｂの上面上であって、矩形とされる上面の両方の短辺それぞれの中央部付近に、ストッパ１３２aおよび１３２ｂが取り付けられている。
【００７２】
ディスプレイ装着部４１aが９０度回転されている図１４に示す状態から、ディスプレイ装着部４１aが軸Ｐを中心としてさらに反時計回りに回転した場合、ディスプレイ装着部４１aの底面に取り付けられているストッパ１３１が、収納部４１ｂの上面に取り付けられているストッパ１３２ｂに突き当たり、ディスプレイ装着部４１aの回転が停止する。このとき、ディスプレイ４３ａ乃至４３ｃは、マルチテレビユニット２１の正面から、１８０度回転した状態となる。
【００７３】
一方、ディスプレイ装着部４１aが９０度回転されている図１４に示す状態から、ディスプレイ装着部４１aが軸Pを中心として時計回りに回転した場合（回転が戻された場合）、ディスプレイ装着部４１aの底面に取り付けられているストッパ１３１が、収納部４１ｂの上面に取り付けられているストッパ１３２aに突き当たり、ディスプレイ装着部４１aの回転が停止する。このとき、ディスプレイ４３ａ乃至４３ｃは、マルチテレビユニット２１の正面を向いた状態となる。
【００７４】
以上のようにして、ディスプレイ装着部４１aの回転がベアリング１２３により可能となるとともに、ストッパ１３１とストッパ１３２aおよび１３２ｂとにより、ディスプレイ装着部４１aの回転範囲を０乃至１８０度に抑制することができる。
【００７５】
上段ディスプレイ部４２a、中段ディスプレイ部４２ｂ、下段ディスプレイ部４２ｃそれぞれを軸Pを中心として回転させる場合も、同様の機構が採用される。
【００７６】
図１５および図１６は、中段ディスプレイ部４２ｂが回転する場合の例を示している。
【００７７】
中段ディスプレイ部４２ｂの上面には、ベアリング１４１が取り付けられている。このベアリング１４１の外輪（図示せず）は、中段ディスプレイ部４２ｂの筐体と固定され、内輪（図示せず）は、パイプ１２１と固定されている。
【００７８】
また、中段ディスプレイ部４２ｂの底面（下面）には、ベアリング１４２が取り付けられている。このベアリング１４２の外輪（図示せず）は、中段ディスプレイ部４２ｂの筐体と固定され、内輪（図示せず）は、パイプ１２１と固定されている。
【００７９】
これにより、軸Pを中心として反時計回りに中段ディスプレイ部４２ｂを回転させる力が加えられると、図１６に示すように、パイプ１２１が回転することなく、中段ディスプレイ部４２ｂが回転する（中段ディスプレイ部４２ｂを回転させる）。
【００８０】
なお、上述したベアリング１２３、１４１、１４２などは、軸受けを垂直方向に対向するように取り付けて、ディスプレイ装着部４１a、上段ディスプレイ部４２a、中段ディスプレイ部４２ｂ、または下段ディスプレイ部４２ｃを回転させるようにすることもできる。
【００８１】
図１５の中段ディスプレイ部４２ｂ内のパイプ１２１には、ディスプレイ４３ｂと接続する信号ケーブル１２２aおよび電源ケーブル１２２ｂをパイプ１２１内から取り出すための開口部１４３が設けられている。
【００８２】
パイプ１２１は、中段ディスプレイ部４２ｂ（ディスプレイ４３ｂ）の回転に応じて信号ケーブル１２２aおよび電源ケーブル１２２ｂが追従可能なように、中段ディスプレイ部４２ｂの回転範囲に応じた開口部１４３を有している。即ち、パイプ１２１の円周方向の開口部１４３の横幅が、中段ディスプレイ部４２ｂの回転角度に対応している。
【００８３】
従って、パイプ１２１内にある信号ケーブル１２２aおよび電源ケーブル１２２ｂは、中段ディスプレイ部４２ｂの回転とは無関係なため、即ち、中段ディスプレイ部４２ｂが回転しても信号ケーブル１２２aおよび電源ケーブル１２２ｂは動かないため、捻れることがない。
【００８４】
また、パイプ１２１外にある（パイプ１２１からディスプレイ４３ｂまでの）信号ケーブル１２２aおよび電源ケーブル１２２ｂは、中段ディスプレイ部４２ｂが回転した場合、その回転に追従して開口部１４３内を移動するので、捻れることがない。
【００８５】
但し、図１５および図１６に示したようにパイプ１２１に中段ディスプレイ部４２ｂの回転範囲に対応して開口部１４３を設ける機構では、信号ケーブル１２２aおよび電源ケーブル１２２ｂが捻れることはなくとも、多少の運動が生じる。
【００８６】
そこで、信号ケーブル１２２aおよび電源ケーブル１２２ｂの運動がないようにした図１７に示す機構を採用することもできる。
【００８７】
図１７では、これまでのパイプ１２１に代えてパイプ１６１（１６１a乃至１６１ｃ）が採用されている。パイプ１６１は、図１７左側に示すように、中段ディスプレイ部４２ｂ内において、パイプ１６１ａ乃至１６１ｃに分割されている。パイプ１６１aおよびパイプ１６１ｂは、信号用リング１９１ａを挟持し、パイプ１６２ｂおよびパイプ１６２ｃは、電源用リング１９１ｂを挟持している。
【００８８】
中段ディスプレイ部４２ｂに取り付けられているディスプレイ４３ｂからは、図１７中央に示すように、信号を入力させる信号入力端子１９１aと、電源の供給を受ける電源端子１９１ｂがピン形状で突出しており、それぞれが信号用リング１７１ａおよび電源用リング１７１ｂと接触している。
【００８９】
信号用リング１７１aは、パイプ１６１と同径で、導電性の金属により構成され、内側で信号ケーブル１２２aと接触し、外側でディスプレイ４３ｂの信号入力端子１９１ａと接触している。信号用リング１７１ａは、信号ケーブル１２２aからの信号をディスプレイ４３ｂの信号入力端子１９１ａに伝達する。
【００９０】
電源用リング１７１ｂは、パイプ１６１と同径で、導電性の金属により構成され、内側で電源ケーブル１２２ｂと接触し、外側でディスプレイ４３ｂの電源端子１９１ｂと接触している。電源用リング１７１ｂは、電源ケーブル１２２ｂからの電源をディスプレイ４３ｂの電源端子１９１ｂに伝達する。
【００９１】
中段ディスプレイ部４２ｂが図１５や図１６で説明したように回転した場合、中段ディスプレイ部４２ｂに取り付けられているディスプレイ４３ｂも回転されるが、図１７右側に示すように、ディスプレイ４３ｂの信号入力端子１９１ａおよび電源端子１９１ｂそれぞれは、常に信号用リング１７１ａおよび電源用リング１７１ｂと接触しているので、継続して信号および電源の供給を受けることができる。そして、この場合、信号ケーブル１２２aおよび電源ケーブル１２２ｂが運動することはない。
【００９２】
以上のように、図２のマルチテレビユニット２１によれば、図３に示したように、マルチテレビユニット２１単体で垂直方向の軸Ｐを中心に回転させることは勿論、図４に示したように、マルチテレビユニット２１の下部（ディスプレイユニット３１の収納部４１ｂおよびベースユニット３２）を回転させずに、ディスプレイユニット３１を回転させることができる。これにより、ディスプレイ４３ａ乃至４３ｃが一体となした状態で（正面の向きから１８０度の範囲を）回転させることができる。
【００９３】
さらに、マルチテレビユニット２１によれば、図５に示したように、上段ディスプレイ部４２a、中段ディスプレイ部４２ｂ、下段ディスプレイ部４２ｃそれぞれを単独に（正面の向きから１８０度の範囲を）回転させることができる。
【００９４】
また、マルチテレビユニット２１は、ディスプレイユニット３１の上面４４に取り付けられている金具５１ａ、掛止爪５２ｂ、金具５２a、および掛止爪５１ｂ、またはベースユニット３２の側面に設けられた凹部５３aおよび凸部５３ｂによって、隣り合う他のマルチテレビユニット２１と、容易に、迅速に、且つ正確に固定することができる。
【００９５】
これにより、図１８に示す２台のマルチテレビユニット２１−１および２１−２で構成されるマルチテレビシステムや、３台のマルチテレビユニット２１−１乃至２１−３で構成されるマルチテレビシステムなどの、ｎ台のマルチテレビユニット２１−ｎで構成されるマルチテレビシステムを容易に構築することができる。即ち、ディスプレイの構成を柔軟に変化させることができるマルチテレビシステムを提供することができる。
【００９６】
また、例えば、図１９に示すように、３台のマルチテレビユニット２１−１乃至２１−３でマルチテレビシステムが構成されている場合、９個のディスプレイ４３ａ−１乃至４３ｃ−３のうちの、任意の個数のディスプレイを用途に応じて反転させることも可能である。
【００９７】
図１９では、３台のマルチテレビユニット２１−１乃至２１−３で構築されたマルチテレビシステムのうちの、マルチテレビユニット２１−１の３個のディスプレイ４３ａ―１乃至４３ｃ−１が反転している例を示している。
【００９８】
この場合、リビングに居るユーザ３aは、３台のマルチテレビユニット２１−１乃至２１−３のうちの、６個のディスプレイ４３ａ−２乃至４３ｃ−２および４３ｃ−１乃至４３ｃ−３を使用して番組を視聴し、ダイニングにいるユーザ３ｂは、３個のディスプレイ４３ａ−１乃至４３ｃ−１を使用して番組を視聴することができる。
【００９９】
なお、上述したマルチテレビユニット２１では、３個のディスプレイ４３ａ乃至４３ｃを縦１列に配置し、３個のディスプレイ４３ａ乃至４３ｃ単独でまたは全てを回転させる例について説明したが、３個のディスプレイ４３ａ乃至４３ｃを横１列に配置し、３個のディスプレイ４３ａ乃至４３ｃ単独でまたは全てを回転させるようにしてもよい。
【０１００】
また、マルチテレビユニット２１に取り付けるディスプレイ４３の個数は、３個に限定されず、任意の個数とすることができる。
【０１０１】
本明細書において、システムとは、複数の装置により構成される装置全体を表すものである。
【図面の簡単な説明】
【０１０２】
【図１】従来のマルチテレビシステムの一例を示す図である。
【図２】本発明を適用した一実施の形態であるマルチテレビユニット２１の斜視図である。
【図３】マルチテレビユニット２１の動作を説明する図である。
【図４】マルチテレビユニット２１の動作を説明する図である。
【図５】マルチテレビユニット２１の動作を説明する図である。
【図６】３台のマルチテレビユニット２１で構成されるマルチテレビシステムの例を示す斜視図である。
【図７】左右に並んだマルチテレビユニット２１どうしの固定方法を説明する図である。
【図８】マルチテレビユニット２１の背面側の構成を説明する図である。
【図９】ケーブル１１１を説明する図である。
【図１０】分配器１０２を説明する図である。
【図１１】ｎ大のマルチテレビユニット２１−１乃至２１−ｎが並べて配置された場合のケーブル１１１の接続例を説明する図である。
【図１２】ディスプレイ装着部４１aの回転を説明する図である。
【図１３】ディスプレイ装着部４１aの回転を説明する図である。
【図１４】ディスプレイ装着部４１aの回転を説明する図である。
【図１５】中段ディスプレイ部４２ｂの回転を説明する図である。
【図１６】中段ディスプレイ部４２ｂの回転を説明する図である。
【図１７】中段ディスプレイ部４２ｂの回転を説明する図である。
【図１８】図２のマルチテレビユニット２１を複数台用いたマルチテレビシステムの例を示す図である。
【図１９】図２のマルチテレビユニット２１を複数台用いたマルチテレビシステムの例を示す図である。
【符号の説明】
【０１０３】
２１  マルチテレビユニット，  ３１  ディスプレイユニット，  ３２  ベースユニット，  ３３a乃至３３ｄ  キャスタ，  ４１a  ディスプレイ装着部，  ４１ｂ  収納部，  ４２a  上段ディスプレイ部，  ４２ｂ  中段ディスプレイ部，  ４２ｃ  下段ディスプレイ部，  ４３a乃至４３ｃ  ディスプレイ，  ４４  上面，  ５１a  金具，  ５１ｂ  掛止爪，  ５２a  金具，  ５２ｂ  掛止爪，  ５３ａ  凹部，  ５３ｂ  凸部
【図１】
2006311270.tif 000003
【図２】
2006311270.tif 000004
【図３】
2006311270.tif 000005
【図４】
2006311270.tif 000006
【図５】
2006311270.tif 000007
【図６】
2006311270.tif 000008
【図７】
2006311270.tif 000009
【図８】
2006311270.tif 000010
【図９】
2006311270.tif 000011
【図１０】
2006311270.tif 000012
【図１１】
2006311270.tif 000013
【図１２】
2006311270.tif 000014
【図１３】
2006311270.tif 000015
【図１４】
2006311270.tif 000016
【図１５】
2006311270.tif 000017
【図１６】
2006311270.tif 000018
【図１７】
2006311270.tif 000019
【図１８】
2006311270.tif 000020
【図１９】
2006311270.tif 000021